(57)【要約】【課題】  ＬＡＮ／インターネットを介してブラウザ機能を有するＭＦＰデバイスとＷｅｂストレージサーバが接続された環境下において、ＭＦＰデバイスに特別なアプリケーションをインストールすることなく、ブラウザに表示されるＨＴＭＬを介して、Ｗｅｂストレージサーバ内の文書を参照・編集し、ファクスジョブを実行することを目的とする。【解決手段】  ＭＦＰデバイスにブラウザを表示する手段と、ＭＦＰデバイスのファクス装置の情報をＷｅｂストレージサーバに通知する手段と、ＭＦＰデバイスのファクス装置の情報に応じてファクス設定画面を形成する手段と、Ｗｅｂストレージサーバに格納された文書を指定する手段と、指定した文書をユーザが参照・編集する手段と、ユーザが設定した内容に応じてファクスジョブを形成し、ファクスを行う手段とを具備している。【選択図】  図１
2007081688.tif 000002
【特許請求の範囲】
【請求項１】
ブラウザ機能を有するＭＦＰデバイス１０と、Webストレージサーバ２０と、Webストレージサーバ20と連携し、何らかのサービスを提供することができるオプションサービス30がLAN／インターネットを介して接続された環境下において、MFPデバイスからファクス送信処理を開始することをWebストレージサーバに通知する手段と、ＭＦＰデバイスにブラウザを表示する手段と、Ｗｅｂストレージサーバに格納されたカバーページと文書を指定する手段を備え、前記通知手段では、ファクス送信設定画面の表示モードをファクス送信設定モードで指定する手段を備え、また、MFPデバイスのブラウザは、指定したカバーページや文書を表示する手段と、表示したカバーページや文書をユーザが編集する手段と、ユーザが編集した内容をWebストレージサービスへ通知する手段を備えると共に、
ＭＦＰデバイスのファクス装置の情報をＷｅｂストレージサーバに通知する手段と、WebストレージサーバにおいてＭＦＰデバイスのファクス装置の情報に応じて、表示モードがファクス送信設定モードの時には、ファクス送信設定画面を形成する手段を備え、更に、MFPデバイスのブラウザはWeｂスト-レジサービスが作成したファクス送信設定画面をブラウザ上に表示し、ブラウザに表示されたファクス送信設定画面でユーザが設定した内容は、ファクス送信の設定内容として文書編集内容と共にWebストレージサービスに通知され、Webストレージサービスは、ファクスジョブ作成手段として、文書編集内容を反映したファクス送信文書を作成し、設定情報に対応したファクスジョブ（MFPデバイスのファクス装置を実行するためのコマンドセットがMFPデバイスで処理可能な形式で構成されるオブジェクト）に展開し、また、ファクスジョブをMFPデバイス内のファクス装置に投入する手段を備え、そのファクスジョブ応じてMFPデバイスはファクス送信を行うことを特徴とする文書登録システム。
【発明の詳細な説明】
【技術分野】
【０００１】
本発明は、文書登録システムに関し、特にＬＡＮ／インターネットを介して接続するＷｅｂストレージサーバに保存されている文書をＭＦＰデバイスから直接ファクス送信することができる文書登録システムに関する。
【背景技術】
【０００２】
近年、オフィスに溢れるドキュメント情報を整理し、データベースとして蓄積し、検索を容易にしようとするドキュメント・マネージメント・システム（以下、ＤＭＳと記述する。）と言われるサービス概念が話題に上がる機会が増えてきている。
【０００３】
これは、昨今迄は紙媒体での情報（ドキュメント）のやり取りが行われてきたが、これらのドキュメントは溜まる一方であり、いざ必要となる情報を探す場合に、多くのドキュメントの中から探す作業は大変煩雑であり、且つ多くの人間の間で、そのドキュメントを共有化することは難しいことから、このようなサービス概念が考えられるようになった。
【０００４】
従来、このようなＤＭＳの一例として、様々なファイルサーバやドキュメント管理（データベース）サーバ等の提案が行われてきており、スキャナデバイスやMFPデバイスとの連携や融合性を考慮したコンピュータアプリケーションを各クライアントＰＣ（パーソナルコンピュータ）にインストールし、実行していた。これにより、クライアントPC上でDMSに保存されている文書を編集した後、ファクス送信機能を備えたクライアントPCから直接ファクス送信することも可能になってきた。
【０００５】
また、クライアントＰＣをユーザ環境に用意することの手間、煩雑さを軽減するため、近年ではＭＦＰデバイス自体が各種プロトコルをサポートし、直接ドキュメント管理サーバとデータのやり取りを行うことも可能となってきた。
【０００６】
こういった背景の中、MFPデバイスのコンピュータ資源（CPU、記憶容量等）の制限から、ドキュメント管理サーバ側が作成したファクス処理の表示画面をMFPデバイスのブラウザUIに表示させることで、MFPデバイスのコンピュータ資源を節約した上で、ファクスおよび文書管理サーバに登録されている文書のファクス送信を行うシステムの提案がなされていた。
【０００７】
又、別の従来例としては、特許文献１をあげることが出来る。
【特許文献１】特開2001-034565号公報
【発明の開示】
【発明が解決しようとする課題】
【０００８】
しかしながら、従来例のシステムでは、ファクス送信機能を有したクライアントPCにアプリケーションソフトをインストールしないとDMSに保存されている文書の編集、及びファクス送信はできなかった。また、MFPデバイス上では、Webストレージサーバに保存された文書を編集してファクス送信することはできなかった。
【０００９】
さらに、MFPデバイス上にUI表示される表示画面は、ファクス機能を選択し、実行する機能を備えるものなので、選択されたファクス機能からファクスジョブを作成する処理にかかるデバイス負荷が課題としてあり、また、表示画面がファクス機能の設定と実行画面であるため、操作性の観点で課題があった。
【００１０】
本発明は、上述した問題点を解消するためになされたもので、ＭＦＰデバイスに特別なアプリケーションをインストールすることなく、ブラウザに表示されるＨＴＭＬを介してＷｅｂストレージサーバに保存されているカバーページと文書を指定、参照、編集と、ファクス装置の送信設定を行い、ファクス送信することを目的とする。また、ブラウザ表示されるHTMLについても従来技術よりユーザのための操作性を向上する目的を持つ。
【課題を解決するための手段】
【００１１】
ブラウザ機能を有するＭＦＰデバイス１０と、Webストレージサーバ２０と、Webストレージサーバ20と連携し、何らかのサービスを提供することができるオプションサービス30がLAN／インターネットを介して接続された環境下において、MFPデバイスからファクス送信処理を開始することをWebストレージサーバに通知する手段と、ＭＦＰデバイスにブラウザを表示する手段と、Ｗｅｂストレージサーバに格納されたカバーページと文書を指定する手段を備える。前記通知手段では、ファクス送信設定画面の表示モードをファクス送信設定モードで指定する手段を備える。また、MFPデバイスのブラウザは、指定したカバーページや文書を表示する手段と、表示したカバーページや文書をユーザが編集する手段と、ユーザが編集した内容をWebストレージサービスへ通知する手段を備える。
【００１２】
次に、ＭＦＰデバイスのファクス装置の情報をＷｅｂストレージサーバに通知する手段と、WebストレージサーバにおいてＭＦＰデバイスのファクス装置の情報に応じて、表示モードがファクス送信設定モードの時には、ファクス送信設定画面を形成する手段を備え、更に、MFPデバイスのブラウザはWeｂスト-レジサービスが作成したファクス送信設定画面をブラウザ上に表示する。ブラウザに表示されたファクス送信設定画面でユーザが設定した内容は、ファクス送信の設定内容として文書編集内容と共にWebストレージサービスに通知される。Webストレージサービスは、ファクスジョブ作成手段として、文書編集内容を反映したファクス送信文書を作成し、設定情報に対応したファクスジョブ（MFPデバイスのファクス装置を実行するためのコマンドセットがMFPデバイスで処理可能な形式で構成されるオブジェクト）に展開する。また、ファクスジョブをMFPデバイス内のファクス装置に投入する手段を備える。そのファクスジョブ応じてMFPデバイスはファクス送信を行う手段とを有するものである。
【発明の効果】
【００１３】
本実施形態に係る文書登録システムによれば、クライアントPCにアプリケーションをインストールすることなく、MFPデバイス上でWebストレージサービスに保存されている文書を指定・参照・編集し、ファクス送信することができる。また、ＭＦＰデバイスに存在する表示装置に表示されるブラウザを介して操作を行うため、デバイス側に特別なプログラムをインストールする必要がない。何らかのバージョンアップがあっても、サーバサイドのみのアップデートのみで良い。また、ＨＴＭＬを用いてユーザインターフェースを提供するため、より柔軟なUI(HTML)の作成ユーザに提供できる。また、ファクスジョブ作成といった機器内で行われていた処理をＷｅｂストレージサービス側で処理するため、ＭＦＰデバイスのコンピュータ資源の使用率を下げる効果があった。
【発明を実施するための最良の形態】
【００１４】
以下、本発明の各実施の形態を図面に基づき説明する。
【００１５】
（第１実施の形態）
まず、本発明の第1実施の形態を図 1乃至図 6に基づき説明する。
【００１６】
図 1は、本実施の形態に係るファクス送信システムのシステム構成図であり、ブラウザ機能を有するＭＦＰデバイス１０と、Webストレージサーバ２０と、Webストレージサーバ20と連携し、何らかのサービスを提供することができるオプションサービス30がLANを介して接続されている。本実施形態においては、各々がLANを介して接続されている場合について述べるが、インターネットを介して接続されていても構わない。また、該オプションサービス30が一つのみ存在する場合について述べるが、複数存在しても構わない。
【００１７】
図 2は、本実施の形態に係るファクス送信システムを実施するためのＭＦＰデバイス１０の一例を示すブロック構成図である。図中のＣＰＵ１０１は、内部バス１０８を介して後述する各機能／装置を接続し、該ＭＦＰデバイス１０を制御するものである。表示装置１０２は、タッチパネルなどのブラウザを表示するための装置である。ユーザは、ユーザ所望の動作を行うための操作等を該表示装置１０２に表示されるブラウザを介して行う。ファクス装置１０３は、文書をファクス送信するための装置であり、ファクス情報管理部１０４は、該ファクス装置１０３の機能／状態の情報を管理／保持する。
【００１８】
更に、メモリ１０５は、該ＣＰＵ１０１が該ＭＦＰデバイス１０を制御するために実行する各種命令（アプリケーションプログラム）を記憶し、大容量記憶装置１０６には、該表示装置１０２において表示するブラウザなどのプログラムを保存する。また、ネットワークインターフェース１０７は、該ＣＰＵ１０１に従いＬＡＮを介して信号の送受信を行う。
【００１９】
以下、本実施の形態に係るファクス送信システムにおける処理の流れの概要について、図 1乃至図 3を用いて説明する。
【００２０】
図 3は、本実施の形態に係るファクス送信システムの処理動作の流れを示すフローチャートであり、該表示装置１０２に表示されるブラウザを介して、Ｗｅｂストレージサーバ２０に保存されている文書をユーザが指定し、参照・編集したカバーページや文書をファクス送信するまでの処理動作の流れを示している。
【００２１】
まず、ステップＳ１０１において、ユーザは該ＭＦＰデバイス１０にある該表示装置１０２上に表示されるブラウザを用いて、該Ｗｅｂストレージサーバ２０のＵＲＬを入力し、該Ｗｅｂストレージサーバ２０のトップページを表示する。このステップS１０１では、トップページから本発明の特徴であるファクス送信処理を開始するためのユーザ入力や処理の開始命令がなされる。ファクス送信処理を開始する際には、ファクス送信設定画面の表示モードを選択する画面を更に提示し、ユーザのモード選択を促す。ファクス送信設定画面の表示モードには3種類あり、ファクス送信設定モード、文書編集モード、ファクスジョブ作成モードである。選択されたモードをWebストレージサーバに通知することによって、本発明の特徴であるファクス送信処理が実行される。
【００２２】
次に、ステップＳ１０２において、該ブラウザ上に表示されたトップページより、該ＭＦＰデバイス１０にある該ファクス装置１０３により、該Ｗｅｂストレージサーバ２０に保存されたカバーページや文書を、ファクス送信するための操作を行うユーザインターフェース「ファクス送信ページ画面」を表示する。
【００２３】
次に、ステップＳ１０３において、概Ｗｅｂストレージサーバ２０よりフォルダ情報・文書情報を取得し、該ブラウザ上に提示し、ファクス送信するためのカバーページや文書を選択する。
【００２４】
次に、ステップＳ１０４において、文書編集を行う場合は、ステップS1041に移行し、該Ｗｅｂストレージサーバ２０が作成する「文書編集画面」を取得し、ステップS1042において、該ブラウザ上に画面を表示する。なお、ステップS104１では、表示モードに文書編集モードを指定する。
【００２５】
次に、ステップS1043において、表示された画面から、カバーページや文書の内容を参照し、編集項目に対する編集(例えば、日付や送信先名など)を行う。
【００２６】
次に、ステップS1044において、ファクス送信設定を行い、該Ｗｅｂストレージサーバ２０からファクスジョブを取得する。この場合、表示モードがファクス送信設定モードの場合には、ファクス機能の設定コントロールで構成されるUIにおいて機能が選択される。機能の具体例としては、複数回線対応やFコード対応などが挙げられる。また、表示モードがファクスジョブ作成モードの場合には、ファクスジョブが作成される。
【００２７】
次に、ステップＳ１０5において、前記S1044において該Ｗｅｂストレージサーバ２０から取得したファクスジョブを実行する。
【００２８】
以下、各処理について、図 1乃至図 6を用いて具体的に説明する。
【００２９】
［Webストレージサーバのトップページを取得］
ステップＳ１０１において、ユーザは、前記ブラウザ表示可能なＭＦＰデバイス１０（以下、ＭＦＰデバイスとする）にある前記表示装置１０２を用いて、ブラウザを起動する。ブラウザアプリケーションは、前記大容量記憶装置１０６に保存されており、前記ＣＰＵ１０１は前記メモリ１０５にアプリケーションを実行可能な形に展開し、該表示装置１０２にブラウザを表示する。このステップＳ１０１では、トップページから本発明の特徴であるファクス送信処理を開始するためのユーザ入力や処理の開始命令がなされる。ファクス送信処理を開始する際には、ファクス送信設定画面の表示モードを選択する画面を更に提示し、ユーザのモード選択を促すことは前記した通りである。
【００３０】
次に、ユーザは、ブラウザに前記Ｗｅｂストレージサーバ２０のトップページのＵＲＬを入力すると、該ＣＰＵ１０１は前記ネットワークインターフェース１０７を介して、該Ｗｅｂストレージサーバ２０とコネクションを確立し、ＨＴＴＰリクエスト（ＧＥＴ）を送信する。なお、この際、ユーザはブラウザにＵＲＬを入力して該Ｗｅｂストレージサーバ２０にアクセスするだけでなく、概Ｗｅｂストレージサーバ２０のトップページへのショートカットをあらかじめ作成しておき、該ショートカットを実行することで該Ｗｅｂストレージサーバ２０にアクセスしても良い。
【００３１】
次に、概Ｗｅｂストレージサーバ２０は、該ＨＴＴＰリクエストに対して該Ｗｅｂストレージサーバ２０のトップページ（ＨＴＭＬ）をボディ部に書き込み、ＨＴＴＰレスポンスを該ネットワークインターフェース１０７に送信する。
【００３２】
次に、概ＣＰＵ１０１により該メモリ１０５に展開された該ＨＴＴＰレスポンスのボディ部（ＨＴＭＬ）を抽出し、該表示装置１０２上のブラウザに表示する。
【００３３】
なお、ブラウザを起動した際に、概大容量記憶装置１０６に保存されたホームとなるページを表示しても良い。この際、該ホームとなるページには、あらかじめ該Ｗｅｂストレージサーバ２０のトップページとなるＵＲＬが関連付けられたボタン等を設けておいても良い。但し、この場合、該Ｗｅｂストレージサーバ２０のホスト名が変更されるたびに、ボタン押下時にアクセスする先となるＵＲＬを設定しなおす必要がある。また、該ＭＦＰデバイス１０に固定のページを保持している場合、該Ｗｅｂストレージサーバ２０の機能の追加／変更／削除などが発生した際に、該ＭＦＰデバイス１０のホームのページを書き換える（ファームのバージョンアップ等）必要が発生するなど、システムとしての柔軟性に欠けるため、該ホームとなるページは、該Ｗｅｂストレージサーバ２０より取得した方が良い。
【００３４】
［ファクス送信設定画面ページを取得］
ステップＳ１０２において、ユーザは、前記ステップＳ１０１により該ブラウザで表示された該ホームとなるページより、ファクス送信時のカバーページや文書を指定するためのファクス送信設定画面ページを表示するために、ボタンを押下する。該ＣＰＵ１０１は前記ネットワークインターフェース１０７を介して、該Ｗｅｂストレージサーバ２０とコネクションを確立し、ＨＴＴＰリクエスト（ＧＥＴ）を送信する。
【００３５】
次に、概Ｗｅｂストレージサーバ２０は、該ＨＴＴＰリクエストに対して該Ｗｅｂストレージサーバ２０のフォルダ・文書構成を示すツリービュー（ＨＴＭＬ）をボディ部に書き込み、ＨＴＴＰレスポンスを該ネットワークインターフェース１０７に送信する。
【００３６】
次に、概ＣＰＵ１０１により該メモリ１０５に展開された該ＨＴＴＰレスポンスのボディ部（ＨＴＭＬ）を抽出し、該表示装置１０２上のブラウザに表示する。
【００３７】
［カバーページと文書を選択］
ステップＳ１０３において、ユーザは、前記ステップＳ１０２により該ブラウザで表示された該Ｗｅｂストレージサーバ２０のフォルダ構成を示すツリービューを用いて、ファクス送信するためのカバーページと文書を指定する。図 4は、該Ｗｅｂストレージサーバ２０のカバーページ、または、文書を指定するまでの処理の流れを示すフローチャートである。以下、図 4を用いて説明する。なお、以下に文書を例にその指定フローを説明するが、文書がカバーページであっても同じフローをたどることは言うまでもない。ただし、カバーページと文書の指定はそれぞれ独立して行う。
【００３８】
まず、ユーザは、ステップＳ１１０１において、該ブラウザで表示された該Ｗｅｂストレージサーバ２０のフォルダ構成のツリービューよりフォルダを選択する。
【００３９】
次に、ステップＳ１１０２において、該Ｓ１１０１によりフォルダを選択した状態で、ユーザが展開ボタンを押下したか否かを確認する（選択したフォルダ以下の情報を取得するか否か）。
【００４０】
次に、ステップＳ１１０３において、該Ｓ１１０２により展開ボタンを押下した場合、該ＣＰＵ１０１は前記ネットワークインターフェース１０７を介して、該Ｗｅｂストレージサーバ２０とコネクションを確立し、該選択したフォルダ以下の情報を取得するためのＨＴＴＰリクエスト（ＧＥＴ）を送信する。
【００４１】
次に、ステップＳ１１０４において、該Ｓ１１０３により送信した該ＨＴＴＰリクエストに対して、該Ｗｅｂストレージサーバ２０の該Ｓ１１０１において選択したフォルダ以下のフォルダ・文書構成を示すツリービュー（ＨＴＭＬ）をボディ部に書き込み、ＨＴＴＰレスポンスを該ネットワークインターフェース１０７に送信する。次に、概ＣＰＵ１０１により該メモリ１０５に展開された該ＨＴＴＰレスポンスのボディ部（ＨＴＭＬ）を抽出し、該表示装置１０２上のブラウザに表示する。
【００４２】
次に、ステップＳ１１０５において、該Ｓ１１０２により文書を選択した状態で、ユーザが選択ボタンを押下したか否かを確認する（ファクス送信のための文書を決定）。選択ボタンが押下された場合、該ＣＰＵ１０１は、指定した文書情報(保存先パス、文書名など)を該メモリ１０５に保存する。
【００４３】
［指定文書を編集］
ユーザは指定文書の編集を行う場合、該ブラウザで表示されたファクス送信設定画面ページから、文書編集ボタンを押下する。（文書編集ボタンは、前記文書選択画面に埋め込まれていても良い。）該ＭＦＰデバイス１０では該Ｗｅｂストレージサーバ２０とコネクションを確立し、ＨＴＴＰリクエスト（ＧＥＴ）を送信する。この際、表示モードとして、文書編集モードを指定し、文書情報と共に通知する。
【００４４】
ステップＳ１０４１において、概Ｗｅｂストレージサーバ２０は、該ＨＴＴＰリクエストに対して、通知された文書情報を元にユーザが文書を編集するための画面を作成し、それをボディ部に書き込み、ＨＴＴＰレスポンスを該ネットワークインターフェース１０７に送信する。詳細を図 6を用いて説明する。
【００４５】
まず、ステップＳ１２１１において、該Ｗｅｂストレージサーバ２０は、該Ｓ１２０２で該ＭＦＰデバイス１０が送信したＨＴＴＰリクエストを受信し、該ファクス１０３の情報と該ユーザが指定した文書のパス、および、文書編集内容を取得する。
【００４６】
次に、ステップＳ１２１２において、該Ｗｅｂストレージサーバ２０は、利用可能な各種Ｗｅｂサービスを検索する。本実施形態においては、図 1におけるオプションサービス３０がＷｅｂサービスとしてイメージデータに対するＯＣＲ処理機能等を公開している例を挙げる。Ｗｅｂサービスの検索方式に関しては、公知の技術であるＵＤＤＩにおいて該オプションサービス３０が登録されていることを前提としても良いし、あらかじめユーザが該Ｗｅｂストレージサーバ２０に、図示しないユーザインターフェースを用いて該オプションサービス３０に関する情報を登録しておいても構わない。本発明の構成では、このようにオプションサービスをシステム構成に取り入れ、かつ、その機能を指定する仕組みも容易に表示画面等に構成することが可能であることを特徴とする。
【００４７】
ステップＳ１２１３で、ファクス送信処理開始時にトップページで指定されWebストレージサーバに通知されている表示モードを判断する。表示モードがファクス送信設定画面モードの場合、処理はステップS１２１３１に進み、表示モードが文書編集モードの場合、処理はステップS12133へ進む。
【００４８】
ステップＳ１２１３１では、該Ｗｅｂストレージサーバ２０は、該Ｓ１２１１より取得した該ファクス１０３の情報及び該ユーザが指定した文書のパス及び文書編集内容かつ、該Ｓ１２１２より取得した利用可能なＷｅｂサービスの情報を解析する。次にステップS１２１３２において解析情報を元に、ファクス機能選択のための表示画面のコントロールを構成し、該Ｓ１２０２におけるＨＴＴＰリクエストへの応答としてボディ部に書き込むＨＴＭＬを作成する。該ファクス１０３の情報からは、回線数、Fコードの有無、同胞送信機能の有無などを選択可能なコントロールとしてＨＴＭＬ内に埋め込み、該ユーザが指定したス文書のパスからは、確認用として該保存場所の文字列をＨＴＭＬ内に埋め込み（もし、ユーザが該保存場所を変更したい場合には、Ｓ１０３において該ＭＦＰデバイスの該ブラウザに表示した該Ｗｅｂストレージサーバ２０のフォルダ構成を示すツリービューに戻るコントロールを埋め込んでも良い）、文書編集内容からは、確認用として該編集内容文字列(編集内容を反映した文書の画像イメージでも良い)をHTML内埋め込み（もしユーザが該文書編集を変更したい場合には、S1042において該ＭＦＰデバイスの該ブラウザに表示した文書編集画面に戻るコントロールを埋め込んでも良い）、利用可能なＷｅｂサービスの情報からも、ユーザが選択可能なコントロールとしてＨＴＭＬ内に埋め込んでも良い。この際、ユーザが該コントロールを用いて選択した後、ファクス実行ボタンを押下した際に実行されるプログラム（Ｊａｖａ（登録商標）アプレットやＪａｖａ（登録商標）Ｓｃｒｉｐｔなど）を同じくＨＴＭＬ内に埋め込む。
【００４９】
ステップＳ１２１３での判断において、表示モードが文書編集モードの場合処理はステップS１２１３３に進む。このモードを指定する場合、ステップ1211において、少なくとも該Ｗｅｂストレージサーバ２０に保存されている文書のパスを通知していることが前提である。ステップ１２１３３では、該ユーザが指定したス文書のパスを解析し、該Ｗｅｂストレージサーバ２０に保存された文書を取得する。次に取得した文書を解析し、編集するべき内容を決定する。例えば、文書がカバーページのようにフォーマットを持っているのであれば、日付や送信先名などが編集項目として挙げられるし、文書が一般のファクス本文のように特にフォーマットがないのであれば、1ページ目だけを解析して編集項目を決定しても良いし、有る特定の領域だけを編集項目として決定しても良い。さらに、該Webサービスから取得した情報を利用して編集項目の決定を行っても良い。次に、ステップ12134では、該S１２１３３で決定した編集項目を編集するためのコントロールを構成し、該S1041におけるＨＴＴＰリクエストへの応答としてボディ部に書き込むＨＴＭＬを作成する。この際、利用可能なＷｅｂサービスの情報からも、ユーザが選択可能なコントロールとしてＨＴＭＬ内に埋め込んでも良い。また、ユーザが該コントロールを用いて選択した後、ファクス実行ボタンを押下した際に実行されるプログラム（Ｊａｖａ（登録商標））アプレットやＪａｖａ（登録商標）Ｓｃｒｉｐｔなど）を同じくＨＴＭＬ内に埋め込む。
【００５０】
ステップＳ１２１３での判断において、表示モードがファクスジョブ作成モードの場合処理はステップS１２１３５に進む。ステップS１２１３３では、まず、S１２１１で取得した文書編集情報をもとに、文書編集内容を反映したファクス送信文書を作成し、Webストレージサーバの記憶領域に一時保存する。カバーページと文書が複数指定されている場合には、1つのファクス送信文書を形成する。また、S１２１１で取得したファクス情報と、編集内容を反映した該ファクス送信文書をもとにファクスジョブを作成し、Webストレージサーバの記憶領域に一時保存する。ファクスジョブの例として、「送信先：044123456/Fコード:9876」といったファクス処理に必要なコマンドセットをファクス装置に投入可能なオブジェクトとして形成する。ファクス装置に投入可能なオブジェクトとは、ファクス送信処理がそのオブジェクトを受け取り、プログラム処理できる形態であればある程度どのような形態（メッセージ、テキスト、メモリオブジェクト）であっても本発明が実施可能であることは言うまでもない。
【００５１】
次に、ステップＳ１２１４において、該Ｓ１２１３より作成したＨＴＭＬをレスポンスとして該ＭＦＰデバイス１０に送信する。
【００５２】
次に、概ＣＰＵ１０１により該メモリ１０５に展開された該ＨＴＴＰレスポンスのボディ部（ＨＴＭＬ）を抽出し、該表示装置１０２上のブラウザに表示する。
【００５３】
次に、ステップ１０６において、ユーザは該ブラウザに表示された画面から文書編集を行い、文書編集実行ボタンを押下する。選択ボタンが押下された場合、ステップ１０７において、該ＣＰＵ１０１は、編集内容を該メモリ１０５に保存する。
【００５４】
［ファクス送信設定を行い、ファクスジョブの取得・実行］
ステップS1044において、ユーザは、該ＭＦＰデバイス１０における該ファクス装置１０３でのファクス送信設定画面上の選択項目を指定し、ファクス送信を実行する。図 5は、ユーザが、設定を指定し、ファクスを実行するまでの処理の流れを示すフローチャートである。また、図 6は、図 5におけるステップＳ１２０３の該Ｗｅｂストレージサーバ２０においてファクス送信条件設定画面（ＨＴＭＬ）を作成する処理の流れを示すフローチャートである。以下、図 3、図 5及び図 6を用いて詳細に説明する。
【００５５】
まず、ステップＳ１２０１において、ユーザが該Ｓ１０３において該ブラウザで表示されたＨＴＭＬ上で該Ｗｅｂストレージサーバ２０に保存された文書を指定した際、該ＣＰＵ１０１は、該ファクス情報１０４に保存された該ファクス装置１０３の情報（能力、複数回線対応か否か、Fコード対応か否か等）を取得し、該メモリ１０５に一時保存する。
【００５６】
次に、ステップＳ１２０２において、ファクス送信条件設定画面を取得するため、該Ｓ１２０１において取得した該ファクス１０３の情報、該Ｓ１０３において取得した該Ｗｅｂストレージサーバ２０に保存された文書のパス、及び該S1043で取得した文書編集情報を該Ｗｅｂストレージサーバ２０にＨＴＴＰリクエスト（ＰＯＳＴ）を送信する。該ＣＰＵ１０１は該ネットワークインターフェース１０７を介して、該Ｗｅｂストレージサーバ２０とコネクションを確立し、該ＨＴＴＰリクエスト（ＰＯＳＴ）を送信する。
【００５７】
次に、ステップS１２０３において、該ＭＦＰデバイス１０は該Ｗｅｂストレージサーバ２０とコネクションを確立し、ＨＴＴＰリクエスト（ＧＥＴ）を送信する。この際、表示モードとして、ファクス送信設定モードを指定する。
【００５８】
次に、ステップＳ１２０４において、該Ｓ１２０３より該Ｗｅｂストレージサーバ２０が送信したＨＴＴＰレスポンスを該ＭＦＰデバイス１０内にある該ネットワークインターフェース１０７を介して、概ＣＰＵ１０１が該メモリ１０５に該ＨＴＴＰレスポンスのボディ部（ＨＴＭＬ）を抽出し、ファクス送信設定画面として該表示装置１０２上の該ブラウザに表示する。
【００５９】
次に、ステップＳ１２０５において、該Ｓ１２０４により該表示装置１０２上の該ブラウザに表示された該ファクス送信設定画面を用いて、画面に応じたユーザ所望のファクス送信のための設定を行い、ファクス送信実行ボタンを押下する。実装ボタンを押下した場合、ステップS1206において、ステップS1205で設定された内容を該Ｗｅｂストレージサーバ２０に通知する。このとき、表示モードとして、ファクスジョブ作成モードを指定する。次に、ステップS1207では、ステップS1206の通知を受けた該Ｗｅｂストレージサーバ２０がファクスジョブをMFPデバイスに投入する。
【００６０】
次に、ステップS1０９では、投入されたファクスジョブをファクス装置が実行する。
【図面の簡単な説明】
【００６１】
【図１】本発明の第１実施の形態に係るファクス送信システムの構成を示すブロック図である。
【図２】本発明の第１実施の形態に係るファクス送信システムにおけるＭＦＰデバイスの一例を示すブロック構成を示す図である。
【図３】本発明の第１実施の形態に係るファクス送信システムにおけるユーザ操作部の処理動作の流れを示すフローチャートである。
【図４】本発明の第１実施の形態に係るファクス送信システムにおけるユーザがＷｅｂストレージサーバに保存された文書を指定するまでの流れを示すフローチャートである。
【図５】本発明の第１実施の形態に係るファクス送信システムにおけるユーザがファクス送信条件を指定し、ファクス送信を実行するまでの処理の流れを示すフローチャートである。
【図６】本発明の第１実施の形態に係るファクス送信システムにおけるＷｅｂストレージサーバ２０においてファクス設定画面（ＨＴＭＬ）、またはファクスジョブを作成するまでの流れを示す図である。
【図１】
2007081688.tif 000003
【図２】
2007081688.tif 000004
【図３】
2007081688.tif 000005
【図４】
2007081688.tif 000006
【図５】
2007081688.tif 000007
【図６】
2007081688.tif 000008